【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
遊技媒体の貸出要求を遊技媒体貸出機から受けて遊技者に遊技媒体を貸し出す貸出手段と、所定の遊技媒体をクレジット方式によって内部貯留する内部貯留手段と、該内部貯留手段によって内部貯留されている遊技媒体の一部を徴収して一回の遊技実行に対する賭数を設定する賭数設定手段と、前記内部貯留手段による遊技媒体の内部貯留を解除して遊技者に返却するために操作される精算ボタンが操作されたことに応じて前記内部貯留手段による遊技媒体の内部貯留を解除する解除手段とを有する制御部を備え、精算ボタンが遊技者により操作されたときに、その旨を遊技媒体貸出機に通知するための精算状態信号を出力するように構成されてなるスロットマシンと、
遊技者から預かった有価価値記憶媒体に記憶されている有価価値の一部又は全部を徴収して、相当する数量分の遊技媒体の貸し出しをスロットマシンに指示する貸出指示手段と、前記精算状態信号をスロットマシンから受信したことを条件に、前記有価価値記憶媒体の遊技者への返却の有無を判断する判断手段と、有価価値記憶媒体が遊技者に返却されていないことをスロットマシンを介して遊技者に報知すべく、前記有価価値記憶媒体が遊技者に返却されていないと前記判断手段が判断したことを条件に、その旨をスロットマシンに通知する未返却通知手段とを有する制御部を備える遊技媒体貸出機と、
から構成されてなることを特徴とする遊技装置。
【請求項２】
遊技媒体の貸出要求を遊技媒体貸出機から受けて遊技者に遊技媒体を貸し出す貸出手段と、所定の遊技媒体をクレジット方式によって内部貯留する内部貯留手段と、該内部貯留手段によって内部貯留されている遊技媒体の一部を徴収して一回の遊技実行に対する賭数を設定する賭数設定手段と、前記内部貯留手段による遊技媒体の内部貯留を解除して遊技者に返却するために操作される精算ボタンが操作されたことに応じて前記内部貯留手段による遊技媒体の内部貯留を解除する解除手段とを有する制御部を備え、精算ボタンが遊技者により操作されたときに、その旨を遊技媒体貸出機に通知するための精算状態信号を出力するように構成されてなるスロットマシンと、
遊技者から預かった有価価値を記憶するＲＡＭと、ＲＡＭに記憶されている有価価値の一部又は全部を徴収して、相当する数量分の遊技媒体の貸し出しをスロットマシンに指示する貸出指示手段と、前記精算状態信号をスロットマシンから受信したことを条件に、有価価値を記憶するためのメモリ機能を有する携帯端末に対して、前記ＲＡＭに記憶されている残有価価値が携帯端末に記憶されることによって遊技者に返却されたか否かを判断する判断手段とを有する制御部と、前記残有価価値が遊技者に返却されていないと前記判断手段が判断したときに、その旨を遊技者に報知する報知手段とを備えてなる遊技媒体貸出機と、
から構成されてなることを特徴とする遊技装置。
【請求項３】
遊技媒体の貸出要求を遊技媒体貸出機から受けて遊技者に遊技媒体を貸し出す貸出手段と、所定の遊技媒体をクレジット方式によって内部貯留する内部貯留手段と、該内部貯留手段によって内部貯留されている遊技媒体の一部を徴収して一回の遊技実行に対する賭数を設定する賭数設定手段と、前記内部貯留手段による遊技媒体の内部貯留を解除して遊技者に返却するために操作される精算ボタンが操作されたことに応じて前記内部貯留手段による遊技媒体の内部貯留を解除する解除手段とを有する制御部を備え、精算ボタンが遊技者により操作されたときに、その旨を遊技媒体貸出機に通知するための精算状態信号を出力するように構成されてなるスロットマシンと、
遊技者から預かった有価価値記憶媒体に記憶されている有価価値の一部又は全部を徴収して、相当する数量分の遊技媒体の貸し出しをスロットマシンに指示する貸出指示手段と、前記精算状態信号をスロットマシンから受信したことを条件に、前記有価価値記憶媒体に有価価値が残存するか否かを判断する第１判断手段と、前記有価価値記憶媒体の遊技者への返却の有無を判断する第２判断手段と、前記有価価値記憶媒体が遊技者に返却されていないことを遊技者に報知すべく、前記有価価値記憶媒体に有価価値が残存すると前記第１判断手段が判断し、かつ、前記有価価値記憶媒体が遊技者に返却されていないと前記第２判断手段が判断したことを条件に、未返却通知信号を生成し、これを報知手段に送信する制御部と、を備える遊技媒体貸出機と、
から構成されてなることを特徴とする遊技装置。
【手続補正２】
【補正対象書類名】明細書
【補正対象項目名】０００７
【補正方法】変更
【補正の内容】
【０００７】
本発明に係る遊技装置は、遊技媒体の貸出要求を遊技媒体貸出機から受けて遊技者に遊技媒体を貸し出す貸出手段と、所定の遊技媒体をクレジット方式によって内部貯留する内部貯留手段と、該内部貯留手段によって内部貯留されている遊技媒体の一部を徴収して一回の遊技実行に対する賭数を設定する賭数設定手段と、前記内部貯留手段による遊技媒体の内部貯留を解除して遊技者に返却するために操作される精算ボタンが操作されたことに応じて前記内部貯留手段による遊技媒体の内部貯留を解除する解除手段とを有する制御部を備え、精算ボタンが遊技者により操作されたときに、その旨を遊技媒体貸出機に通知するための精算状態信号を出力するように構成されてなるスロットマシンと、遊技者から預かった有価価値記憶媒体に記憶されている有価価値の一部又は全部を徴収して、相当する数量分の遊技媒体の貸し出しをスロットマシンに指示する貸出指示手段と、前記精算状態信号をスロットマシンから受信したことを条件に、前記有価価値記憶媒体の遊技者への返却の有無を判断する判断手段と、有価価値記憶媒体が遊技者に返却されていないことをスロットマシンを介して遊技者に報知すべく、前記有価価値記憶媒体が遊技者に返却されていないと前記判断手段が判断したことを条件に、その旨をスロットマシンに通知する未返却通知手段とを有する制御部を備える遊技媒体貸出機と、から構成されてなることを特徴とする。
また、本発明に係る遊技装置は、遊技媒体の貸出要求を遊技媒体貸出機から受けて遊技者に遊技媒体を貸し出す貸出手段と、所定の遊技媒体をクレジット方式によって内部貯留する内部貯留手段と、該内部貯留手段によって内部貯留されている遊技媒体の一部を徴収して一回の遊技実行に対する賭数を設定する賭数設定手段と、前記内部貯留手段による遊技媒体の内部貯留を解除して遊技者に返却するために操作される精算ボタンが操作されたことに応じて前記内部貯留手段による遊技媒体の内部貯留を解除する解除手段とを有する制御部を備え、精算ボタンが遊技者により操作されたときに、その旨を遊技媒体貸出機に通知するための精算状態信号を出力するように構成されてなるスロットマシンと、遊技者から預かった有価価値を記憶するＲＡＭと、ＲＡＭに記憶されている有価価値の一部又は全部を徴収して、相当する数量分の遊技媒体の貸し出しをスロットマシンに指示する貸出指示手段と、前記精算状態信号をスロットマシンから受信したことを条件に、有価価値を記憶するためのメモリ機能を有する携帯端末に対して、前記ＲＡＭに記憶されている残有価価値が携帯端末に記憶されることによって遊技者に返却されたか否かを判断する判断手段とを有する制御部と、前記残有価価値が遊技者に返却されていないと前記判断手段が判断したときに、その旨を遊技者に報知する報知手段とを備えてなる遊技媒体貸出機と、から構成されてなることを特徴とする。
また、本発明に係る遊技装置は、遊技媒体の貸出要求を遊技媒体貸出機から受けて遊技者に遊技媒体を貸し出す貸出手段と、所定の遊技媒体をクレジット方式によって内部貯留する内部貯留手段と、該内部貯留手段によって内部貯留されている遊技媒体の一部を徴収して一回の遊技実行に対する賭数を設定する賭数設定手段と、前記内部貯留手段による遊技媒体の内部貯留を解除して遊技者に返却するために操作される精算ボタンが操作されたことに応じて前記内部貯留手段による遊技媒体の内部貯留を解除する解除手段とを有する制御部を備え、精算ボタンが遊技者により操作されたときに、その旨を遊技媒体貸出機に通知するための精算状態信号を出力するように構成されてなるスロットマシンと、遊技者から預かった有価価値記憶媒体に記憶されている有価価値の一部又は全部を徴収して、相当する数量分の遊技媒体の貸し出しをスロットマシンに指示する貸出指示手段と、前記精算状態信号をスロットマシンから受信したことを条件に、前記有価価値記憶媒体に有価価値が残存するか否かを判断する第１判断手段と、前記有価価値記憶媒体の遊技者への返却の有無を判断する第２判断手段と、前記有価価値記憶媒体が遊技者に返却されていないことを遊技者に報知すべく、前記有価価値記憶媒体に有価価値が残存すると前記第１判断手段が判断し、かつ、前記有価価値記憶媒体が遊技者に返却されていないと前記第２判断手段が判断したことを条件に、未返却通知信号を生成し、これを報知手段に送信する制御部と、を備える遊技媒体貸出機と、から構成されてなることを特徴とする。